(57)【要約】【課題】破損し易い基板であっても偏光フィルムを基板の表面から容易に引き剥がすことができること。【解決手段】液晶表示パネル１０の偏光フィルム１２および接着剤１４が、電磁波発生装置２２内において７０℃〜１００℃の範囲で加熱された後、偏光フィルム１２および接着剤１４がフィルム除去装置３２により除去されるもの。【選択図】図３
2007206559.tif 000002
【特許請求の範囲】
【請求項１】
偏光フィルムと、該偏光フィルムに接着層を介して重ねられる基板とを有する液晶表示パネルの該偏光フィルムおよび接着層に対し該偏光フィルムおよび接着層を軟化させるようにマイクロ波帯域の電磁波を照射し加熱する工程と、
前記加熱された偏光フィルムおよび接着層を前記液晶表示パネルの基板から除去する工程と、
を含んでなる液晶表示パネル用フィルムの除去方法。
【請求項２】
前記偏光フィルムおよび接着層は、水酸基を含む物質で作られることを特徴とする請求項１記載の液晶表示パネル用フィルムの除去方法。
【請求項３】
前記加熱された偏光フィルムおよび接着層は、フィルム除去装置により前記基板から削り取られることを特徴とする請求項１記載の液晶表示パネル用フィルムの除去方法。
【請求項４】
前記加熱された偏光フィルムおよび接着層は、接着シートにより前記基板から引き剥がされることを特徴とする請求項１記載の液晶表示パネル用フィルムの除去方法。
【発明の詳細な説明】
【技術分野】
【０００１】
本発明は、液晶表示パネル用フィルムの除去方法に関する。
【背景技術】
【０００２】
表示部を備える電子機器においては、その表示部が液晶表示（ＬＣＤ）パネルで構成されるものが広く実用に供されている。そのような液晶表示パネルは、例えば、特許文献１および特許文献２にも示されるように、ガラス製またはプラスチック製の相対向する基板間に形成される液晶層と、その基板のうちの一方にまたは双方に接着される偏光フィルムとを主な要素として含んで構成されている。
【０００３】
そのような液晶表示パネルの製造工程において、偏光フィルムを基板の表面に接着する作業工程のとき、不所望な気泡や異物が基板の表面に塗布された接着剤と偏光フィルムとの間に形成される場合がある。このような気泡を形成しないようにする方法としては、例えば、特許文献３にも示されるように、偏光フィルムが基板の表面に接着されるとき、ローラで偏光フィルムが基板に対し押圧されつつ接着され、その後、比較的長期間、熱が偏光フィルムに加えられる方法とされる。
【０００４】
【特許文献１】特開２０００−２４８２４３号公報
【特許文献２】特開２００１−２７７５３号公報
【特許文献３】特開２００１−２７８７９号公報
【発明の開示】
【発明が解決しようとする課題】
【０００５】
上述の方法のように、比較的長期間にわたり熱を偏光フィルムに加えることは、生産効率の観点からは得策とは言えず、また、上述のような対策が仮になされても、量産される液晶表示パネルうち、気泡や異物が基板の表面に塗布された接着剤と偏光フィルムとの間に形成される液晶表示パネルが一個も生じないとも言えない。
【０００６】
このような場合、偏光フィルムを基板から一旦、剥がし、再度、新たな偏光フィルムを基板に貼付することも考えられる。
【０００７】
しかしながら、ガラス製の基板の場合、基板が破損し易いので偏光フィルムを基板の表面から引き剥がすことは容易でない。
【０００８】
以上の問題点を考慮し、本発明は、液晶表示パネル用フィルムの除去方法であって、破損し易い基板であっても偏光フィルムを基板の表面から容易に引き剥がすことができる液晶表示パネル用フィルムの除去方法を提供することを目的とする。
【課題を解決するための手段】
【０００９】
上述の目的を達成するために、本発明に係る液晶表示パネル用フィルムの除去方法は、偏光フィルムと、偏光フィルムに接着層を介して重ねられる基板とを有する液晶表示パネルの偏光フィルムおよび接着層に対し偏光フィルムおよび接着層を軟化させるようにマイクロ波帯域の電磁波を照射し加熱する工程と、加熱された偏光フィルムおよび接着層を液晶表示パネルの基板から除去する工程と、を含んでなる。
【発明の効果】
【００１０】
以上の説明から明らかなように、本発明に係る液晶表示パネル用フィルムの除去方法によれば、液晶表示パネルの偏光フィルムおよび接着層に対し偏光フィルムおよび接着層を軟化させるようにマイクロ波帯域の電磁波を照射し加熱するので偏光フィルムおよび接着層が軟化せしめられることにより破損し易い基板であっても偏光フィルムを基板の表面から容易に引き剥がすことができる。
【発明を実施するための最良の形態】
【００１１】
図２は、本発明に係る液晶表示パネル用フィルムの除去方法の一例が適用される液晶表示パネルの断面構造の一部を概略的に示す。
【００１２】
図２において、液晶表示パネル１０は、所定の間隔をもって相対向して配される比較的薄いガラス基板１６および２０と、ガラス基板１６とガラス基板２０との間に配される液晶層１８と、ガラス基板１６の一方の表面に接着剤１４を介して接着される偏光フィルム１２とを主な要素として含んで構成されている。
【００１３】
液晶層１８は、例えば、ガラス基板２０の一方の表面に形成されるカラーフィルターと、そのカラーフィルター上に形成される一対の透明電極と、その一対の透明電極の間に設けられる配向膜、および液晶とを含んで構成されている。
【００１４】
不図示のバックライトが照射される偏光フィルム１２は、例えば、ポリビニルアルコール系の材料で薄膜状に形成されている。接着剤１４は、アクリル系接着剤、例えば、水酸基を有するセルローストリアセテートを含む接着剤とされる。
【００１５】
なお、液晶表示パネル１０は、上述の例に限られることなく、図２にニ点鎖線で示されるように、偏光フィルム１２が、ガラス基板２０の他方の表面に接着剤１４と同様な接着剤で既に気泡が生じることなく良好に接着されたものであってもよい。
【００１６】
本発明に係る液晶表示パネル用フィルムの除去方法の一例において、例えば、生産の途中でその内部に気泡や異物が見受けられた不所望な偏光フィルム１２を液晶表示パネル１０のガラス基板１６から除去するにあたり、先ず、対象となる複数の液晶表示パネル１０が電磁波発生装置２２内に配置される。
【００１７】
電磁波発生装置２２は、例えば、電子レンジのような高周波数帯域の電磁波を発生するものとされる。電磁波発生装置２２は、図１に示されるように、外郭部２８の内側に液晶表示パネル１０を収容し加熱するパネル収容室２８ａを有している。パネル収容室２８ａは、電磁波発生部２６からの電磁波（マイクロ波）を反射し、反射されたマイクロ波を液晶表示パネル１０に向けて照射する金属製の反射壁を内周部全体に有している。また、パネル収容室２８ａは、各液晶表示パネル１０が載置されるパネル棚２４ａｉ（ｉ＝１〜ｎ，ｎは正の整数）を備えている。パネル棚２４ａｉは、それぞれ、所定の間隔をもって互いに平行に配置されている。液晶表示パネル１０の側方には、マグトロンを含んでなる電磁波発生部２６が設けられている。そのマグトロンは、水分子を振動させる程度、例えば、２．４５×１０９（Ｈｚ）帯域のマイクロ波を発生するものとされる。
【００１８】
次に、電磁波発生部２６が作動状態とされ、電磁波が所定期間、複数の液晶表示パネル１０の偏光フィルム１２に対して照射される。これにより、液晶表示パネル１０の偏光フィルム１２および接着剤１４は、それぞれ、上述したように、水酸基を含むのでその表面温度が７０℃〜１００℃の範囲で加熱され軟化せしめられることとなる。
【００１９】
続いて、パネル収容室２８ａから加熱された各液晶表示パネル１０は、取り出され、図３に示されるように、支持台３０の支持面３０Ｓに載置される。支持台３０の支持面３０Ｓには、内部に形成される吸引用通路３０ａ，３０ｂ，３０ｃおよび３０ｄの一方の開口端が開口されている。吸引用通路３０ａ，３０ｂ，３０ｃおよび３０ｄの他方の開口端は、例えば、図示が省略される真空ポンプ等に接続される吸引部に接続されている。これにより、真空ポンプが作動状態とされる場合、液晶表示パネル１０がその吸引力により支持台３０の支持面３０Ｓにおける所定位置に保持されることとなる。その際、液晶表示パネル１０は、そのガラス基板２０が支持面３０Ｓに当接するように載置される。
【００２０】
続いて、図３に示されるように、鋭利な刃部３２Ｅを有するフィルム除去装置３２が支持台３０の一方側に配置される。フィルム除去装置３２の刃部３２Ｅは、支持面３０Ｓに対し相対的に所定の移動速度で往復移動可能に支持されている。
【００２１】
その際、初期位置において、フィルム除去装置３２の刃部３２Ｅの先端が図３に二点鎖線で示されるように、接着剤１４とガラス基板１６との境界部分における一方の端部に一致するように配置される。
【００２２】
そして、刃部３２Ｅが図３において矢印の示す方向に沿って偏光フィルム１２および接着剤１４の一方の端部側から他方の端部まで移動せしめられる。これにより、刃部３２Ｅの矢印の示す方向の移動に伴い、液晶表示パネル１０における偏光フィルム１２’および接着剤１４’が図３に二点鎖線で示されるように、徐々にガラス基板１６の表面から容易に削り取られることとなる。
【００２３】
上述の例においては、加熱された偏光フィルム１２’および接着剤１４’は、フィルム除去装置３２が利用されてガラス基板１６の表面から除去されているが、斯かる例に限られることなく、例えば、図４に示されるように、一方の表面に粘着層３４ａを有する接着シート３４が利用されてもよい。なお、図４においては、図３において同一とされる構成要素について同一の符号を付してその重複説明を省略する。
【００２４】
図４においては、先ず、上述の例と同様に加熱された各液晶表示パネル１０は、パネル収容室２８ａから取り出され、支持台３０の支持面３０Ｓに載置される。その際、液晶表示パネル１０は、そのガラス基板２０が支持面３０Ｓに当接するように載置される。
【００２５】
次に、接着シート３４は、その粘着層３４ａが偏光フィルム１２の表面に当接され、所定の圧力で押圧された後、図４において二点鎖線で示されるように引き上げられる。
これにより、粘着層３４ａの粘着力によって偏光フィルム１２’および接着剤１４’がガラス基板１６の表面から容易に引き剥がされることとなる。
【００２６】
従って、破損し易いガラス基板１６であっても偏光フィルム１２および接着剤１４が、ガラス基板１６を破損させることなく、その表面から容易に引き剥がされることとなる。
【図面の簡単な説明】
【００２７】
【図１】本発明に係る液晶表示パネル用フィルムの除去方法の一例に用いられる電磁波発生装置の構成を概略的に示す構成図である。
【図２】本発明に係る液晶表示パネル用フィルムの除去方法の一例が適用される液晶表示パネルの断面構造を模式的に示す断面図である。
【図３】本発明に係る液晶表示パネル用フィルムの除去方法の一例においてフィルム除去装置を用いたフィルムの除去工程の説明に供される図である。
【図４】本発明に係る液晶表示パネル用フィルムの除去方法の一例において接着シートを用いたフィルムの除去工程の説明に供される図である。
【符号の説明】
【００２８】
１０    液晶表示パネル
１２    偏光フィルム
１４    接着剤
１６    ガラス基板
２２    電磁波発生装置
３２    フィルム除去装置
３４    接着シート
【図１】
2007206559.tif 000003
【図２】
2007206559.tif 000004
【図３】
2007206559.tif 000005
【図４】
2007206559.tif 000006